(57)【要約】      （修正有）【課題】繰り返しキーチェンジが可能であり、マスターキーの機能も付加可能なシリンダー錠を提供する。【解決手段】上ピンと下ピンとの間に介在させた補助ピンを除去することで、施解錠用のキーを変更可能なシリンダー錠であって、内筒４の外周面の長手方向に複数の長円状の収納孔ｐｂ１〜ｐｘ１とそれに連通した溝４Ａを形成し、溝にセット・リセット部材を摺動自在に配置し、内筒の鍵穴３にキーを挿入して内筒を回動した状態からセット・リセット部材を押動すると収納孔に補助ピンが収納され、この押動を解除すると補助ピンを収納孔の幅方向に沿って押動して上ピン孔に戻らないように保持するセット状態と、セット状態とする場合のセット・リセット部材の押動量よりも更に押動した状態を保持しつつ内筒を上ピン孔と下ピン孔とが対峙する位置まで回動して、補助ピンを上ピンと下ピンとの間に戻すリセット状態とすることが可能なように構成した。【選択図】図６
2008291638.tif 000002
【特許請求の範囲】
【請求項１】
長手方向に複数の上ピン孔を有する外筒と、該外筒に回動自在に嵌挿されるとともに、鍵穴を貫通し前記外筒の複数の上ピン孔と対応する複数の下ピン孔を有する内筒とを備え、少なくとも前記外筒の上ピン孔に挿入されてバネにより内筒方向に付勢された上ピンと内筒の下ピン孔に挿入された下ピンとの間の任意の箇所には補助ピンを介在させ、該補助ピンを前記上ピンと下ピンとの間から除去することによって、施解錠用のキーを変更することが可能なシリンダー錠であって、
前記内筒の外周面の長手方向には複数の長円状の収納孔を形成するとともに、前記複数の収納孔と連通した溝を形成し、
内筒を回動して前記長円状の収納孔が上ピン孔と対向する位置となった場合に、当該収納孔の長さ方向の幅が対向する上ピン孔と隣り合う上ピン孔とを隔離する隔壁とに渡る領域に形成されてなり、
前記内筒の収納孔と連通した溝には、長さ方向に山部と谷部とが交互に連なって形成され、当該谷部の後方側と山部との間にはテーパ部を、谷部の前方側と山部との間には段部を設けてなるセット・リセット部材を摺動自在に嵌装し、
前記補助ピンの全てを上ピンと下ピンとの間に位置しているリセット状態において、前記内筒の鍵穴に、本シリンダー錠に適合したキーを挿入すると、そのキーの鍵山の作用によって上ピンと下ピンとの間の補助ピンは上ピン孔または下ピン孔に収納され、この状態で内筒を回動すると、該上ピン孔に収納された補助ピンがセット・リセット部材の山部に当接した状態となり、この状態から同セット・リセット部材を外部操作によって押動し、前記山部が補助ピンと当接する状態から谷部と対峙する位置までセット・リセット部材を前記溝の長さ方向に押動すると、上ピンのバネの付勢力によって補助ピンが内筒の収納孔に収納され、この押動を解除すると、前記セット・リセット部材のバネの付勢力によって、前記セット・リセット部材の段部が収納孔に収納された補助ピンを、内筒の長円状の収納孔の長さ方向に沿って外筒の隔壁と対峙する位置まで移動させた状態で補助ピンを保持するセット状態と、
前記キーを挿入し、同内筒をある設定角度回動して前記収納孔と上ピン孔とを対峙させた後に、前記セット状態とする場合のセット・リセット部材の押動量よりも多い押動量で前記溝の方向にセット・リセット部材を押動することによって、前記補助ピンが長円状の収納孔の谷部に位置する状態から当該谷部に連なるテーパ部の作用によって上ピン孔側に押しやられ、このテーパ部に連なる山部が上ピン孔内に押しやられた補助ピンを上ピン孔内に保持し、このセット・リセット部材の押動状態を保持しつつ前記内筒を上ピン孔と下ピン孔とが対峙する位置まで回動し、且つ、前記セット・リセット部材の押動状態を解除することによって、収納孔に一時的に保持された補助ピンを元の上ピンと下ピンとの間に戻すリセット状態とすることが可能なように構成してなるシリンダー錠。
【請求項２】
内筒の収納孔の一部には、蓋（補助ピンの出入りを阻止する出入阻止部）を形成してあり、内筒を回動して外筒の上ピン孔にある補助ピンが、当該内筒の収納孔に対峙する位置になった時、前記補助ピンは収納孔の蓋（補助ピンの出入りを阻止する出入阻止部）に当接して、該収納孔に収納されないように構成してある請求項１に記載のシリンダー錠。
【請求項３】
前記内筒の鍵穴が形成された正面に、前記複数の収納孔と連通した溝と外部とを連通するセット・リセットピン挿入孔を穿った請求項１または２のシリンダー錠と、第１の長さを有する第１ピンが前記セット・リセットピン挿入孔に挿入され、第１の長さの第１ピンを押し込みきることで、前記セット・リセット部材の山部が上ピン孔に対峙する状態から谷部と対峙する状態に外部操作するための第１の治具と、第１の長さよりも長い第２の長さを有する第２ピンが前記セット・リセットピン挿入孔に挿入され、第２の長さの第２ピンを押し込みきることで、前記補助ピンが長円状の収納孔の谷部に位置する状態から当該谷部に連なるテーパ部の作用によって上ピン孔側に押しやるための第２の治具とからなるシリンダー錠を用いたキーシステム。
【請求項４】
前記内筒の鍵穴が形成された正面に、前記複数の収納孔と連通した溝と外部とを連通するセット・リセットピン挿入孔を穿った請求項１または２のシリンダー錠と、第１の長さを有する第１ピンが前記セット・リセットピン挿入孔に挿入され、第１の長さの第１ピンを押し込みきることで、前記セット・リセット部材の山部が上ピン孔に対峙する状態から谷部と対峙する状態に外部操作するための第１の治具と、鍵穴に挿入して、リセット操作を行うためのキーに固定しつつ、このキーを鍵穴に挿入すると第１の長さよりも長い第２の長さを有する第２ピンが前記セット・リセットピン挿入孔に挿入され、第２の長さの第２ピンを押し込みきることで、前記補助ピンが長円状の収納孔の谷部に位置する状態から当該谷部に連なるテーパ部の作用によって上ピン孔側に押しやるための第２の治具とからなるシリンダー錠を用いたキーシステム。
【発明の詳細な説明】
【技術分野】
【０００１】
この発明は、外筒内の上ピンと内筒内の下ピンとの間に介在させた補助ピンを適宜にシリンダー錠内部で上ピンと下ピンとの間から除去することによってキーチェンジを可能とし、また必要に応じて元の状態に復帰させることにより繰り返しキーの変更ができると共に、更にはマスターキー機能も付加可能なキーチェンジシステム用のシリンダー錠及びそれを用いたキーシステムに関するものである。
【背景技術】
【０００２】
一般に、キーチェンジシステムを採用したシリンダー錠では、賃貸マンション、ホテル等の集合住宅等において、建物の工事中は施工業者が工事用キーで全ての住宅の玄関錠のシリンダー錠を施解錠し、住宅等の居住者が決まって、その居住者が居住者専用のキーを一度でも使用して施解錠すると、前記工事用キーが使用できないようにするものや、居住者がキーを紛失したり、居住者が替わった場合に、次に使用される第二、第三・・・の新たなキーで施解錠すると、先に使用していたキーが使用できないようにするものが知られている。
【０００３】
例えば、特許文献１（実開昭６４−３７８６７号公報）のシリンダー錠では、外筒内の上ピンと内筒内の下ピンとの間に補助ピンを介在させるとともに、内筒の外周面には該内筒を回動したときに上ピン孔に対応する位置にポケットを形成してある。そして、キーチェンジする場合には、新たなキーにより内筒を回動して前記内筒のポケットに補助ピンを収納させることにより、元のキーで解錠不能にするとともに、新たなキーのみで施解錠可能にするものである。この特許文献１のシリンダー錠では、内筒のポケットに収納された補助ピンは永久的に収納されたままであり、元の状態に戻そうとしても戻すことができないといった問題があった。
【０００４】
このように元の状態に戻すというリセット状態にすることを目的としたシリンダー錠が特許文献２（実開平４−４１６５号公報）に開示されている。この特許文献２のシリンダー錠では、外筒内の上ピンと内筒内の下ピンとの間に補助ピンを介在させた状態から、前記補助ピンを専用の治具を使用して、シリンダー錠の外部に取り出してキーチェンジ状態にすること、更に、上ピンと下ピンとの間に前記補助ピンを専用の治具を使用して、シリンダー錠の内部に戻して元の状態であるリセット状態に戻すことを特徴とするものである。元の状態に戻すとは、新たなキーにチェンジして旧のキーで施解錠ができない状態にした後、再度、旧のキーを使用可能にすることである。
【０００５】
しかしながら、特許文献２のシリンダー錠においては、補助ピンを専用の治具を使用して外部に取り出したり、また元に戻すように構成してあるので、補助ピン自体が極小の部品であることなどから素人が行うには面倒で緻密な作業となりすぎ専門の業者または工場以外ではできないといった問題があった。
【０００６】
このような技術背景により、補助ピンをシリンダー錠から外部に取り出さない構造で、前述したキーチェンジを可能とした新規なシリンダー錠を、平成１７年１１月２５日付で本願出願人が出願を行い、特願２００５−３４１２８７号（特許文献３）の出願番号を付されている。
【０００７】
この特許文献３（先願発明）のシリンダー錠を更に改良したものが本発明であることから、まず、図３１〜図３８に基づいて、先願発明のシリンダー錠について説明する。この先願発明のシリンダー錠は、工事用キーや複数のキー（チェンジキー）など全てのキーで施解錠可能なリセット状態から、一つのキー（チェンジキー）で施解錠可能なようにセットされたセット状態とを有し、他のキー（チェンジキー）に変更する場合には、まず外部からの操作によってリセット状態に戻し、次に他のキー（チェンジキー）にセットすることができるものである。      
図３１は、先願発明（特許文献３）のシリンダー錠の正面図、図３２は図３１のＺ１−Ｚ１線断面図、図３３は図３１のＺ２−Ｚ２線断面図、図３４は図３１のＺ３−Ｚ３線断面図、図３５は図３２，図３３のＤ２−Ｄ２、Ｅ−Ｆ線断面図、図３６（Ａ）は内筒４００の側面図、図３６（Ｂ）は内筒４００の正面図、図３６（Ｃ）は図３６（Ｂ）のＺ３−Ｚ３線断面図である。
【０００８】
図３２〜図３６はいずれも先願発明（特許文献３）のシリンダー錠１００のリセット状態を示している。このシリンダー錠１００は、その長手方向に複数の上ピン孔Ａ１〜Ｘ１を有する外筒２００と、該外筒２００に回動自在に嵌挿されるとともに、鍵穴３００と外筒２００の上ピン孔Ａ１〜Ｘ１と対応する複数の下ピン孔Ａ２〜Ｘ２とを有する内筒４００と、前記上ピン孔Ａ１〜Ｘ１と下ピン孔Ａ２〜Ｘ２とで形成される各コラムＡ〜Ｘのそれぞれに挿入された上ピンＡ３〜Ｘ３と、下ピンＡ４〜Ｘ４とを備えている。そして、上ピンと下ピンとの間に、補助ピン７００を介在させ、外筒２００の内周面と内筒４００の外周面に設定されるシャーラインＳＬが、補助ピン７００と上ピンとの界面と、補助ピン７００と下ピンとの界面の何れかの界面がシャーラインＳＬと一致した際に、外筒２００に対する内筒４００のキー操作で施解錠が可能となる。このような補助ピン７００が、この先願発明（特許文献３）のシリンダー錠１００では、図３３に示すように、コラムＥ，Ｆ，Ｉ，Ｋ，Ｌ，Ｎ，Ｏ，Ｑ，Ｕ，Ｗに介在する１０箇所の上ピンＥ３，Ｆ３，Ｉ３，Ｋ３，Ｌ３，Ｎ３，Ｏ３，Ｑ３，Ｕ３，Ｗ３と下ピンＥ４，Ｆ４，Ｉ４，Ｋ４，Ｌ４，Ｎ４，Ｏ４，Ｑ４，Ｕ４，Ｗ４との間に配置してある。
この１０箇所の補助ピン７００の上側又は下側の何れかの界面をシャーラインＳＬと一致させたり、或いは、補助ピン７００を除いて上ピンと下ピンとの界面をシャーラインＳＬと一致させることによって、外筒２００に対する内筒４００のキー操作で施解錠できるようになる。よって、シャーラインＳＬと一致させる鍵山の形状が複数パターン設定できる結果、複数種類のキーを合鍵として使用可能にできるのである。そして、所定の外部からの操作によって、上ピンと下ピンとの間に位置する複数の補助ピン７００，・・，７００の一つ又は複数を取り除くことによって、特定のキーで施解錠可能に設定できるのである。
【０００９】
上ピンと下ピンとの間から除去された補助ピン７００は、図２３,図２４に示される内筒４００に設けた補助ピン７００の収納ポケットＰＥ，ＰＦ，ＰＩ，ＰＫ，ＰＬ，ＰＮ，ＰＯ，ＰＱ，ＰＵ，ＰＷに収納され、外部からのリセット操作がなされるまでは、補助ピン７００を収納した状態が保持される。なお、補助ピン７００は、耐腐食性を有する金属素材からなり、いずれもボール形状で形成されている。
そして、この収納ポケットＰＢ，ＰＣ，ＰＥ，ＰＦ，ＰＨ，ＰＩ，ＰＫ，ＰＬ，ＰＮ，ＰＯ，ＰＱ，ＰＲ，ＰＴ，ＰＵ，ＰＷ，ＰＸは、図３４〜図３６に示すように、円筒形状の内筒４００の外周面に一定間隔で２列上に形成された真円形状の円筒孔ＰＢ１，ＰＣ１，ＰＥ１，ＰＦ１，ＰＨ１，ＰＩ１，ＰＫ１，ＰＬ１，ＰＮ１，ＰＯ１，ＰＱ１，ＰＲ１，ＰＴ１，ＰＵ１，ＰＷ１，ＰＸ１と、内筒に配置されたのこぎり状の端面を有するリセット部材９００の谷部ＰＢ２，ＰＣ２，ＰＥ２，ＰＦ２，ＰＨ２，ＰＩ２，ＰＫ２，ＰＬ２，ＰＮ２，ＰＯ２，ＰＱ２，ＰＲ２，ＰＴ２，ＰＵ２，ＰＷ２，ＰＸ２とで形成されている。
【００１０】
このリセット部材９００は、前記２列上に形成された円筒孔ＰＢ１，ＰＣ１，ＰＥ１，ＰＦ１，ＰＨ１，ＰＩ１，ＰＫ１，ＰＬ１，ＰＮ１，ＰＯ１，ＰＱ１，ＰＲ１，ＰＴ１，ＰＵ１，ＰＷ１，ＰＸ１を貫通し、内筒４００の長手方向に連続して形成された一対の溝４００Ａに摺動自在に配置されている。
【００１１】
また、リセット部材９００は、それぞれの谷部ＰＢ２，ＰＣ２，ＰＥ２，ＰＦ２，ＰＨ２，ＰＩ２，ＰＫ２，ＰＬ２，ＰＮ２，ＰＯ２，ＰＱ２，ＰＲ２，ＰＴ２，ＰＵ２，ＰＷ２，ＰＸ２の間に山部を形成しているが、バネ９００Ａの付勢力によって、常態時には、円筒孔ＰＢ１，ＰＣ１，ＰＥ１，ＰＦ１，ＰＨ１，ＰＩ１，ＰＫ１，ＰＬ１，ＰＮ１，ＰＯ１，ＰＱ１，ＰＲ１，ＰＴ１，ＰＵ１，ＰＷ１，ＰＸ１に、谷部ＰＢ２，ＰＣ２，ＰＥ２，ＰＦ２，ＰＨ２，ＰＩ２，ＰＫ２，ＰＬ２，ＰＮ２，ＰＯ２，ＰＱ２，ＰＲ２，ＰＴ２，ＰＵ２，ＰＷ２，ＰＸ２が対応するように配置されている。
【００１２】
次に、図２４のリセット状態の鍵穴３００にチェンジキーＣＫを挿入した図３７に基づいて、そのチェンジキーＣＫを合鍵としてセットする動作を説明する。なお、図３３および図３５のリセット状態では、複数のチェンジキーＣＫの全てのチェンジキーの何れか一つを合鍵としてセットすることが可能である。そして、一つのチェンジキーＣＫが一旦セットされると、リセット操作を行わなければ他のチェンジキーで施解錠操作が行えないものであり、リセット操作を行うことによって、予め用意された他のチェンジキーＣＫを合鍵としてセットすることができる。
【００１３】
(1)リセット状態から、ある特定のチェンジキーＣＫを合鍵としてセットする場合、まず、図３５のリセット状態のシリンダー錠１００の鍵穴３００にチェンジキーＣＫを挿入する。このようにチェンジキーＣＫを挿入すると、その挿入したチェンジキーＣＫの鍵山によって、図３７の矢印で示す方向に、下ピンＥ４とＦ４が押しやられ、補助ピン７００と上ピンＦ３との界面がシャーラインＳＬに一致し、補助ピン７００と下ピンＥ４との界面がシャーラインＳＬに一致する状態となる。このように、それぞれ異なる鍵山を有する複数種類のチェンジキーＣＫごとに、補助ピン７００を介在するコラムＡ〜Ｘにおいて、シャーラインＳＬを介して上ピン孔Ａ１〜Ｘ１又は下ピン孔Ａ２〜Ｘ２内に介在する補助ピン７００が配置される。この例示する先願発明の場合には、補助ピン７００が介在するコラムＥ、Ｆ、Ｉ、Ｋ、Ｌ、Ｎ、Ｏ、Ｑ、Ｕ、Ｗの１０箇所に存在している．
【００１４】
(2)  次に、チェンジキーＣＫを鍵穴３００に挿入した状態から、図３７に示すように、時計方向へα度（本実施例では約４５度）だけチェンジキーＣＫを回動すると、そのチェンジキーＣＫの鍵山の作用でシャーラインＳＬを超えて上ピン孔Ｅ１側に移動した補助ピン７００は、そのまま上ピン孔Ｅ１内に残り、収納ポケットＰＥと上ピン孔Ｅ１とが一致した際に、補助ピン７００が収納ポケットＰＥ内に上ピンＥ３を突出方向に付勢するバネの弾性によって応動し収納される。（図３７の二点鎖線状態）。一方、シャーラインＳＬを超えずに内筒４００の下ピン孔Ｆ２にある補助ピン７００は、内筒４００と共に回動する。
【００１５】
図３８（Ａ）に示すのは、収納ポケットと上ピン孔とが一致した状態であって、シャーラインＳＬを超えて上ピン孔側に移動した補助ピン７００が収納ポケットに収納される直前の状態を示す要部切欠断面図、同図（Ｂ）は補助ピン７００が収納ポケットに収納された状態を示す要部切欠断面図、同図（Ｃ）は制御部材でリセット部材を押し込んで補助ピンを押し上げた状態の要部切欠断面図である。
【００１６】
同図３８（Ａ）、（Ｂ）に示すように、チェンジキーＣＫの鍵山によって補助ピン７００が上ピン孔Ｅ１、Ｎ１、Ｑ１側に押しやられて、内筒４００をα度回動すると収納ポケットＰＥ、ＰＮ、ＰＱに補助ピン７００がそれぞれ収納される。
【００１７】
このように、鍵穴３００へチェンジキーＣＫを挿入して時計方向にα度回動させると、チェンジキーＣＫの鍵山の作用によって上ピン孔側に押しやられた補助ピン７００が対応する収納ポケットに収納され、この状態でチェンジキーＣＫを反時計方向にα度回動して引き抜くことによって、このチェンジキーＣＫが、施解錠可能な合鍵としてセットされたことになる。
【００１８】
このセット状態においては、図３１のＺ２ーＺ２断面である図３３において、コラムＥ，Ｎ，Ｑの３箇所に位置した３個の補助ピン７００が除去されるが、リセット状態でセットするチェンジキーＣＫの鍵山によって上ピン孔側に押しやられなかった補助ピン７００の全てがコラムに残った状態となる。
【００１９】
（３）次に、図３８（Ｂ）に基づいて、上記チェンジキーＣＫを合鍵としてセットした状態から、他のチェンジキーＣＫを合鍵としてセット可能なリセット状態に戻す作用について説明する。
【００２０】
ところで、リセット部材９００は、それぞれの谷部ＰＢ２，ＰＣ２，ＰＥ２，ＰＦ２，ＰＨ２，ＰＩ２，ＰＫ２，ＰＬ２，ＰＮ２，ＰＯ２，ＰＱ２，ＰＲ２，ＰＴ２，ＰＵ２，ＰＷ２，ＰＸ２の間に山部を形成していることは前述したが、この谷部ＰＢ２，ＰＣ２，ＰＥ２，ＰＦ２，ＰＨ２，ＰＩ２，ＰＫ２，ＰＬ２，ＰＮ２，ＰＯ２，ＰＱ２，ＰＲ２，ＰＴ２，ＰＵ２，ＰＷ２，ＰＸ２と山部との間には、なだらかなテーパ部をそれぞれ形成している。
【００２１】
そこで、図３８（Ｂ）のセット状態において,図３８（Ｃ）に示すように、リセットピン挿入孔９００Ｂから当該挿入孔９００Ｂよりも小さい断面を有する押出ピン９１１を有する制御部材９１０のピン先を挿入し、このピン先でリセット部材９００をバネ９００Ａの弾性に抗して押しやるに伴って、前記リセット部材９００に形成されたテーパ部に沿って、収納ポケットＰＥ，ＰＮ，ＰＱに収納された全ての補助ピン７００は、制御部材９１０によるリセット部材９００の没入方向（図３８（Ｃ）では左方向）への移動によって、リセット部材９００の前記テーパ部が上記補助ピン７００の全部をそれぞれの上ピンバネの付勢に抗して上ピンＥ３、Ｎ３、Ｑ３を上方へ押し上げる。そして、リセット部材９００が図２７（Ｃ）の如く完全に没入した状態においては、各補助ピン７００は、リセット部材９００の谷部ＰＢ１・・・ＰＸ１同士間に形成された山部で上ピンバネの付勢力に抗して上ピンＥ３，Ｎ３，Ｑ３を押し上げ、各補助ピン７００が収納ポケットＰＥ，ＰＮ，ＰＱから上ピン孔Ｅ１，Ｎ１，Ｑ１内に移動し収納される。
【００２２】
この状態を保ちながら、制御部材９１０を反時計回りにα度回動させて制御部材９１０を引き抜くと、リセット状態へのセットが完了する。すなわち、収納ポケットＰＥ、ＰＮ、ＰＱにあった各補助ピン７００が図２２に示す元の状態に戻る。
【００２３】
【特許文献１】実開昭６４−３７８６７号公報
【特許文献２】実開平４−４１６５号公報
【特許文献３】特願２００５−３４１２８７号（未公開）（先願発明）
【発明の開示】
【発明が解決しようとする課題】
【００２４】
以上のように、特許文献１のシリンダー錠は繰り返しキーチェンジができないものであり、特許文献２のシリンダー錠においては、繰り返しキーチェンジができるものであるが、キーチェンジを可能とする補助ピンを専用の治具を使用して外部に取り出し、また必要に応じて内部に戻すようにしたものであったものを、特許文献３では、キーチェンジを可能とする補助ピンをシリンダー錠の内部で、予め配置したセット・リセット部材の押動によって上ピンと下ピンとの間に位置した補助ピンを、補助ピン収納用の収納ポケットに収納させることにより、キーチェンジを行うことができ、また必要に応じて収納ポケットに収納された補助ピンを元に戻すことによって繰り返しキーチェンジができるようしたものである。
そして、特許文献３（先願発明）の図３０〜３５に示す実施例では、収納ポケットを 内筒に設けたものではあるが、実用上極めて重要なマスターキーを設けることができないといった問題があった。
【００２５】
また、特許文献３（先願発明）の図１〜２９に示す実施例は、マスターキーを設定できるシリンダー錠１００としたものではあるが、次のような問題があった。
まず、第一に、補助ピン収納用の収納ポケットを外筒に設け、その収納ポケットにはバネと押動部材（押えピン）を組み込む必要があるので、その加工や組立には多大の労力を要し、極めて高価なものとなった。また、外筒に、収納ポケットを設ける必要があるので、外筒用の素材が従来の如く上ピン孔を設ける箇所のみが肉厚である汎用性のある素材を使用することができず、高価なものとなった。
第二に、キーチェンジを行う際に補助ピンを収納ポケットに収納（移動）させるのには、セット・リセット部材に掛架したバネの力によって収納させるようにしてあるので、確実性に欠ける（異物の混入によっては補助ピンを移動できない）という問題があった。
【００２６】
この発明の目的は、上述した従来の問題を全て解消する新規なシリンダー錠を提供することを目的としている。
【課題を解決するための手段】
【００２７】
この発明では、シリンダー錠の外筒の長手方向に複数設けられた上ピンと、それぞれの上ピンと対応する内筒の下ピンとの何れか又は全ての間に補助ピンを介在させ、シリンダー錠に適合した複数種類のキーで施解錠が可能なリセット状態と、このリセット状態時から複数種類のキーのうち特定のキーにより、内筒をある設定角度回動すると共に、外部操作によって、前記上ピン及び下ピン間に介在する複数の補助ピンの何れか、又は、全てを上ピンと下ピンとの間から除去させ、この補助ピンを内筒に形成した収納孔に収納した状態を保持させることにより複数種類のキーのうちの特定のキーで施解錠可能なセット状態とすることができ、また必要に応じて収納孔に保持させた補助ピンを元の状態に戻してリセット状態にすることができるシリンダー錠を提供する。
【００２８】
発明の請求項１のシリンダー錠は、長手方向に複数の上ピン孔を有する外筒と、該外筒に回動自在に嵌挿されるとともに、鍵穴を貫通し前記外筒の複数の上ピン孔と対応する複数の下ピン孔を有する内筒とを備え、少なくとも前記外筒の上ピン孔に挿入されてバネにより内筒方向に付勢された上ピンと内筒の下ピン孔に挿入された下ピンとの間の任意の箇所には補助ピンを介在させ、該補助ピンを前記上ピンと下ピンとの間から除去することによって、施解錠用のキーを変更することが可能なシリンダー錠であって、
前記内筒の外周面の長手方向には複数の長円状の収納孔を形成するとともに、前記複数の収納孔と連通した溝を形成し、
内筒を回動して前記長円状の収納孔が上ピン孔と対向する位置となった場合に、当該収納孔の長さ方向の幅が対向する上ピン孔と隣り合う上ピン孔とを隔離する隔壁とに渡る領域に形成されてなり、
前記内筒の収納孔と連通した溝には、長さ方向に山部と谷部とが交互に連なって形成され、当該谷部の後方側と山部との間にはテーパ部を、当該谷部の前方側と山部との間には段部を設けてなるセット・リセット部材を摺動自在に嵌装し、
前記補助ピンの全てを上ピンと下ピンとの間に位置しているリセット状態において、前記内筒の鍵穴に、本シリンダー錠に適合したキーを挿入すると、そのキーの鍵山の作用によって上ピンと下ピンとの間の補助ピンは上ピン孔または下ピン孔に収納され、この状態で内筒を回動すると、該上ピン孔に収納された補助ピンがセット・リセット部材の山部に当接した状態となり、この状態から同セット・リセット部材を外部操作によって押動し、前記山部が補助ピンと当接する状態から谷部と対峙する位置までセット・リセット部材を前記溝の長さ方向に押動すると、上ピンのバネの付勢力によって補助ピンが内筒の収納孔に収納され、この押動を解除すると、前記セット・リセット部材のバネの付勢力によって、前記セット・リセット部材の段部が収納孔に収納された補助ピンを、内筒の長円状の収納孔の長さ方向に沿って外筒の隔壁と対峙する位置まで移動させた状態で補助ピンを保持するセット状態と、
前記キーを挿入し、同内筒をある設定角度回動して前記収納孔と上ピン孔とを対峙させた後に、前記セット状態とする場合のセット・リセット部材の押動量よりも多い押動量で前記溝の方向にセット・リセット部材を押動することによって、前記補助ピンが長円状の収納孔の谷部に位置する状態から当該谷部に連なるテーパ部の作用によって上ピン孔側に押しやられ、このテーパ部に連なる山部が上ピン孔内に押しやられた補助ピンを上ピン孔内に保持し、このセット・リセット部材の押動状態を保持しつつ前記内筒を上ピン孔と下ピン孔とが対峙する位置まで回動し、且つ、前記セット・リセット部材の押動状態を解除することによって、収納孔に一時的に保持された補助ピンを元の上ピンと下ピンとの間に戻すリセット状態とすることが可能なように構成してなるシリンダー錠である。
【００２９】
（作用）
以上のような本発明によれば、リセット状態時において、例えば、合鍵であるキーによる操作によって内筒をある設定角度回動すると、前記セット・リセット部材の山部が上ピン孔に対峙するようになり、外部操作によってセット・リセット部材を押動することによって、前記セット・リセット部材の谷部が上ピン孔に対峙するようになり、上ピン孔に収納されていた補助ピンが上ピン孔に挿入されたバネの付勢力によって内筒の収納孔に収納される。次に、 内筒を元に状態に戻した状態で、セット・リセット部材の押動を解除すると、当該セット・リセット部材のバネの付勢力によって、上ピン孔間に形成される隔壁と収納孔とセット・リセット部材の段部とで上ピンと下ピンとの間から除去して収納孔に収納した補助ピンを長円状の収納孔内で長手方向に移動させて保持する（セット状態）。このセット状態では、上ピンと下ピンとの間に介在されていた補助ピンの全て又はいずれかが 内筒の収納孔に収納されて、前記合鍵であるキーでの施解錠を受け付けることになる。
【００３０】
また、特定のキーによる操作が可能となるようにセットした場合であっても、マスターキーを鍵穴に挿入した場合、上ピンと下ピンとの間に介在する補助ピンの全てが上ピン孔側へ押しやられ、下ピンと補助ピンとの間又は下ピンと上ピンとの間がシャーラインと一致するように鍵山を形成しておけば、特定のキーで施解錠可能なセット状態となったシリンダー錠であってもマスターキーでの施解錠も可能となる。なお、マスターキーで施解錠を行うために内筒を回動しても、押動を伴うセット・リセット部材のセット操作を行わない限り、前記マスターキーの鍵穴への挿入によって外筒の上ピン孔に一時的に収納された補助ピンが、内筒の収納孔に収納されるのをセット・リセット部材の山部が阻止する。したがって、マスターキーでの施解錠で一時的に施解錠を行ったとしても、外部操作によるセット操作を行わなければ、前にセットした特定のキーも合鍵として機能し、施解錠を行うことができる。
【００３１】
また、前記合鍵であるキー又はマスターキーを鍵穴に挿入して回動し、上ピン孔に対して収納孔に収納した状態の補助ピンを対峙させた後、セット・リセット部材を外部操作によって前方側（なお、本実施例では、シリンダー錠にキーを挿入する際、キーの先端側を前方とし、その反対側（手前側）を後方側とする。）にセット状態の押動量よりも多い押動量で押動すると、そのセット・リセット部材のテーパ部が作用して上ピン孔のバネの付勢力に抗して補助ピンを内筒の収納孔から外筒の上ピン孔に押動して移動させる。そして、その状態を保ちながらキーを回動するとともに、セット・リセット部材に対する外部操作を解除することによって、セット・リセット部材を外部操作前の状態に復帰させ、補助ピンを一旦除去した上ピンと下ピンとの間に戻すことができる（リセット状態）。この場合に、この発明では、合鍵としてセットした特定のキー以外のマスターキーであってもリセット状態にできるから、例えば、前に合鍵としてセットした特定のキーを紛失などした場合であっても、一旦、マスターキーでリセット状態とし、更に、他のキーを合鍵としてセットすることができる。
【００３２】
前述したセット・リセット部材は、後述する実施例においては、常時に後方側に付勢するバネを設けており、外部操作により前方側に押動する場合には、このバネの付勢力に抗して押動されるとともに、外部操作を解除するとこのバネの付勢力で自動的にセット・リセット部材が後方に復帰するように構成しているが、本発明はこれに限定するものではなく、外部操作を解除すると収納孔に対してセット・リセット部材の谷部が一致するようにセット・リセット部材を可動操作可能に構成すれば良く、このような構成にする場合、前述したようなセット・リセット部材をバネで常時後方に付勢する方法の他、セット・リセット部材を被磁性体で構成するとともに、外部操作部材を磁性体で構成し、磁力によってセット・リセット部材を前後に移動操作するように構成することもできる。また、同じ磁力を用いた別の方法としては、上述したバネに替えて、常時にセット・リセット部材を後方に付勢可能なように、セット・リセット部材の少なくとも先端側又は後端側を磁性体で構成するとともに、内筒のセット・リセット部材を挿入する溝の先端側又は後端側にセット・リセット部材の極性と異なる極性の磁性体を設け、異なる極性の磁性体の反発力を利用してセット・リセット部材を常時前方側に付勢するように構成することもできる。
【００３３】
本発明の請求項２のシリンダー錠は、内筒の収納孔の一部には、蓋（補助ピンの出入りを阻止する出入阻止部）を形成してあり、内筒を回動して外筒の上ピン孔にある補助ピンが、当該 内筒の収納孔に対峙する位置になった時、前記補助ピンは収納孔の蓋（補助ピンの出入りを阻止する出入阻止部）に当接して、収納孔に収納されないように構成することで、キーによる施解錠操作時、キー（および 内筒）の回動角度が例えば３６０度と大きい場合であっても、外筒の上ピン孔にある補助ピンが施解錠操作中に誤って 内筒の収納孔に落ち込んでしまうという不都合が起きないようにしたものである。
【００３４】
本発明の請求項３のシリンダー錠を用いたキーシステムは、前記内筒の鍵穴が形成された正面に、前記複数の収納孔と連通した溝と外部とを連通するセット・リセットピン挿入孔を穿った請求項１または２のシリンダー錠と、第１の長さを有する第１ピンが前記セット・リセットピン挿入孔に挿入され、第１の長さの第１ピンを押し込みきることで、前記セット・リセット部材の山部が上ピン孔に対峙する状態から谷部と対峙する状態に外部操作するための第１の治具と、第１の長さよりも長い第２の長さを有する第２ピンが前記セット・リセットピン挿入孔に挿入され、第２の長さの第２ピンを押し込みきることで、前記補助ピンが長円状の収納孔の谷部に位置する状態から当該谷部に連なるテーパ部の作用によって上ピン孔側に押しやるための第２の治具とからなる。
【００３５】
本発明の請求項４のシリンダー錠を用いたキーシステムは、前記内筒の鍵穴が形成された正面に、前記複数の収納孔と連通した溝と外部とを連通するセット・リセットピン挿入孔を穿った請求項１または２のシリンダー錠と、第１の長さを有する第１ピンが前記セット・リセットピン挿入孔に挿入され、第１の長さの第１ピンを押し込みきることで、前記セット・リセット部材の山部が上ピン孔に対峙する状態から谷部と対峙する状態に外部操作するための第１の治具と、鍵穴に挿入して、リセット操作を行うためのキーに固定しつつ、このキーを鍵穴に挿入すると第１の長さよりも長い第２の長さを有する第２ピンが前記セット・リセットピン挿入孔に挿入され、第２の長さの第２ピンを押し込みきることで、前記補助ピンが長円状の収納孔の谷部に位置する状態から当該谷部に連なるテーパ部の作用によって上ピン孔側に押しやるための第２の治具とからなる。                      
【発明の効果】
【００３６】
この発明の請求項１によれば、前記補助ピンを、上ピンと下ピンとの間からシリンダー錠の外部に取り出すことなく、内筒の収納孔に収納することが可能となり、収納孔に収納した補助ピンを、再度、上ピンと下ピンとの間に戻す場合でも、前記外部操作によって上ピンと下ピンとの間に戻すことができる。したがって、複数の上ピンと下ピンとの間の任意の箇所に補助ピンを介在させるかの組み合わせで多数のキーチェンジが可能となるばかりか、一旦、上ピンと下ピンとの間から前記収納孔に収納させた補助ピンを元の上ピンと下ピンとの間の位置に戻すことによって、一時的に使用不可能となったキーを再び何度でも繰り返し使用できるようにすることができる。
【００３７】
また、特定のキーで施解錠可能なセット状態であっても、マスターキーでも施解錠が可能であると共に、補助ピン収納用の収納孔を内筒に設けたので、外筒に収納孔を加工する必要もなく、その収納孔に押さえ部材やバネ等を組み込む必要がない。また、外筒は上ピン孔を設ける箇所のみ肉厚部を有する従来のシリンダー錠と同じ外筒を使用できるため、汎用性のあるものとなり安価なシリンダを提供できる。
【００３８】
さらに、 内筒に設けた収納孔には補助ピンを押動するためのバネや押動部材を設ける必要がないので、構成も簡単で部品点数も少なくてよい。
【００３９】
しかも、 内筒の収納孔を長円状とし、セット・リセット部材の２段階の押動操作によって、その長円状の収納孔の長さ方向に沿って補助ピンを移動させ、あるいは収納孔にある補助ピンを外筒の上ピン孔に移動させるようにして、セット操作とリセット操作を行っているので、補助ピンの移動を確実に行うことができ、誤動作が起きる虞がない。また、あらゆるキーで施解錠が可能なリセット状態のシリンダー錠は、セット操作を行わない限り、施解錠したキーでのセット状態とはならないから、マスターキーで一旦施解錠を行っても新たなキーにセット操作を行わない限り、前にセットしたキーを継続して使用することができる。
【００４０】
その他、セット・リセット部材はそれ自体に掛架したバネにより常時後方に付勢され、その山部が収納孔で、常に外筒の上ピン孔に移動した補助ピンと対峙する位置にあるので、セット・リセット部材を押動しない限り、不用意に補助ピンが収納孔に収納されて誤動作が起こる虞もない。
【実施例】
【００４１】
（実施例１）本発明の実施例１のシリンダー錠を図１〜図１９に基づいて以下に説明する。本発明のシリンダー錠１と上記特許文献３の先願のシリンダー錠１００と相違する構成は、内筒４００とリセット部材９００の改良であり、他の構成は略同一の構成を採用している。
【００４２】
（リセット状態）
以下、図１〜図６に示すリセット状態のシリンダー錠に基づいて、本発明のシリンダー錠について説明する。
【００４３】
このリセット状態のシリンダー錠は、複数のシリンダー錠を施解錠可能なマスターキーＭＫ、複数のシリンダー錠の各々のみを施解錠可能な個別のチェンジキーＣＫーや工事用キー等の全てのキーで施解錠可能である。
【００４４】
図１は本発明のシリンダー錠の正面図、図２は図１のＺ１−Ｚ１線縦断面図、図３は図１のＺ２−Ｚ２線断面図、図４は図１のＺ３−Ｚ３線断面図、図５は図２，図３のＤ２−Ｄ２，Ｅ−Ｆ線断面図、図６（Ａ）は内筒４の側面図、図６（Ｂ）は内筒４の正面図、図６（Ｃ）は図６（Ｂ）のＺ３−Ｚ３線断面図である。
【００４５】
図において、１はシリンダー錠であって、このシリンダー錠１は、その長手方向に複数の上ピン孔Ａ１〜Ｘ１を有する外筒２と、該外筒２に回動自在に嵌挿されるとともに、鍵穴３と外筒２の上ピン孔Ａ１〜Ｘ１と対応する複数の下ピン孔ａ２〜ｘ２とを有する内筒４と、前記上ピン孔Ａ１〜Ｘ１と下ピン孔ａ２〜ｘ２とで形成される各コラムＡ〜Ｘのそれぞれに挿入された上ピンＡ３〜Ｘ３と、下ピンＡ４〜Ｘ４とを主な構成としている。
【００４６】
前記下ピン孔ａ２〜ｘ２のそれぞれには、下ピンＡ４〜Ｘ４の鍵穴３内への突出量を規制し、当該下ピンＡ４〜Ｘ４が抜けないようにするための段部４Ｂを形成する一方、前記上ピン孔Ａ１〜Ｘ１には当該上ピン孔Ａ１〜Ｘ１に挿入される上ピンＡ３〜Ｘ３を、前記下ピンＡ４〜Ｘ４と当接する方向に付勢するバネ５を配置している。
【００４７】
図１及び図２を参照して、仮想中心ＯとＺ１とで結ばれる仮想線上の内筒４と外筒２には、その奥行き方向に前記上ピン孔Ａ１，Ｄ１，Ｇ１，Ｊ１，Ｍ１，Ｐ１，Ｓ１，Ｖ１と、前記下ピン孔ａ２，ｄ２，ｇ２，ｊ２，ｍ２，ｐ２，ｓ２，ｖ２とで形成されるコラムＡ，Ｄ，Ｇ，Ｊ，Ｍ，Ｐ，Ｓ，Ｖが一定間隔で列状に配置されて第１のコラム群を形成し、これと同様に、図１及び図３を参照して、仮想中心Ｏを挟むＺ２とＺ２で結ばれる片方の仮想線上の内筒４と外筒２には、その奥行き方向に複数の前記上ピン孔Ｂ１，Ｅ１，Ｈ１，Ｋ１，Ｎ１，Ｑ１，Ｔ１，Ｗ１と、複数の前記下ピン孔ｂ２，ｅ２，ｈ２，ｋ２，ｎ２，ｑ２，ｔ２，ｗ２とで形成されるコラムＢ，Ｅ，Ｈ，Ｋ，Ｎ，Ｑ，Ｔ，Ｗ（第２のコラム群）が配置され、仮想中心Ｏを挟む他方の仮想線上の内筒４と外筒２には、その奥行き方向に複数の前記上ピン孔Ｃ１，Ｆ１，Ｉ１，Ｌ１，Ｏ１，Ｒ１，Ｕ１，Ｘ１と、複数の前記下ピン孔ｃ２，ｆ２，ｉ２，ｌ２，ｏ２，ｒ２，ｕ２，ｘ２とで形成されるコラムＣ，Ｆ，Ｉ，Ｌ，Ｏ，Ｒ，Ｕ，Ｘ（第３のコラム群）が、それぞれ一定間隔で列状に配置されている。
【００４８】
前記第２のコラム群と第３のコラム群とは、前記内筒４と外筒２の長手方向に所定間隔ＨＨだけずらした位置に配置されている（図３参照）。このように所定間隔ＨＨだけ両コラム群の設ける位置を違え、且つ、それぞれのコラム間ピッチを同一のピッチとすることによって、第２と第３のコラム群に位置する補助ピン７が、他のコラム群に移動してしまうなどの問題を解消するために、第２のコラム群と第３のコラム群の下ピンＢ４，Ｃ４，Ｅ４，Ｆ４，Ｈ４，Ｉ４，Ｋ４，Ｌ４，Ｎ４，Ｏ４，Ｑ４，Ｒ４，Ｔ４，Ｕ４，Ｗ４，Ｘ４のいずれかが両方のコラム群の上ピン孔と対峙しないように設定している。
【００４９】
このような、第２のコラム群と第３のコラム群でのずれＨＨを設定することによって、第２のコラム群及び第３のコラム群に位置する補助ピン７，・・・，７が、リセット状態からセット状態を経て再度リセット状態に移行する場合、誤って別の群のコラムに移動してしまうのを防止するように機能する。
【００５０】
そして、前述したリセット状態にあるシリンダー錠１では、前記上ピンＥ３，Ｆ３，Ｉ３，Ｋ３，Ｌ３，Ｎ３，Ｏ３，Ｑ３，Ｕ３，Ｗ３と、下ピンＥ４，Ｆ４，Ｉ４，Ｋ４，Ｌ４，Ｎ４，Ｏ４，Ｑ４，Ｕ４，Ｗ４との間に、それぞれ補助ピン７，・・・，７が介在されている。このシリンダー錠１に備えられる全ての補助ピン７，・・・，７（本実施例では１０個）が、前記上ピンＥ３，Ｆ３，Ｉ３，Ｋ３，Ｌ３，Ｎ３，Ｏ３，Ｑ３，Ｕ３，Ｗ３と、下ピンＥ４，Ｆ４，Ｉ４，Ｋ４，Ｌ４，Ｎ４，Ｏ４，Ｑ４，Ｕ４，Ｗ４との間に介在された状態を表すのが図３である。前記上ピンＥ３，Ｆ３，Ｉ３，Ｋ３，Ｌ３，Ｎ３，Ｏ３，Ｑ３，Ｕ３，Ｗ３と、下ピンＥ４，Ｆ４，Ｉ４，Ｋ４，Ｌ４，Ｎ４，Ｏ４，Ｑ４，Ｕ４，Ｗ４との間に介在された補助ピン７，・・・，７のうちの適宜部位の補助ピン７の一つ又は複数を除去することによって、施解錠が可能なキーを変更することができる。この実施の形態では、上ピンと下ピンとの間に介在させる補助ピン７の数を１０個としているが、本発明はこれに限定されるものではなく、例えば，上ピンＥ３，Ｆ３，Ｉ３，Ｋ３，Ｌ３，Ｎ３，Ｏ３，Ｑ３，Ｕ３，Ｗ３と、下ピンＥ４，Ｆ４，Ｉ４，Ｋ４，Ｌ４，Ｎ４，Ｏ４，Ｑ４，Ｕ４，Ｗ４との間に加えて、上ピンＢ３，Ｃ３，Ｈ３，Ｒ３，Ｔ３，Ｘ３と、下ピンＢ４，Ｃ４，Ｈ４，Ｒ４，Ｔ４，Ｘ４との間に介在させることによって、合計で１６個の補助ピン７を介在させることによって、合鍵とすることができるキーの数を更に増大させることが可能であり、又、逆に、補助ピン７の数を減らすことも可能である。
【００５１】
つまり、上ピンＢ３，Ｃ３，Ｈ３，Ｒ３，Ｔ３，Ｘ３と下ピンＢ４，Ｃ４，Ｈ４，Ｒ４，Ｔ４，Ｘ４が嵌挿されるコラムＢ，Ｃ，Ｈ，Ｒ，Ｔ，Ｘは、前記補助ピン７を介在しない固定コラムとしているが、これに限らず、チェンジ可能なキーの数を増やしたい場合などには、前記上ピンと下ピンとの間に補助ピン７を介在可能なコラムに構成することも可能である。また、前記補助ピン７を介在しない固定コラム数を減らした場合には、シリンダー錠１の補助ピン７の数は本実施例では１０個以上となり、これに伴ってチェンジ可能なキーの数が増加し、これとは逆に、前記固定コラムを増やすと、補助ピン７の数は減少して１０以下となり、これに伴ってチェンジ可能なキーの数が減少することになる。
【００５２】
また、図１，図６を参照して、Ｚ１−Ｚ１仮想線から時計方向へ約５５度傾いたＺ３−Ｚ３仮想線上であって、内筒４の奥行き方向に仮想中心Ｏを挟んだＺ３−Ｚ３とで結ばれる仮想線上の内筒４の両外周面４Ｃには、補助ピン７の収納孔ｐｂ１，ｐｃ１，ｐｅ１，ｐｆ１，ｐｈ１，ｐｉ１，ｐｋ１，ｐｌ１，ｐｎ１，ｐｏ１，ｐｑ１，ｐｒ１，ｐｔ１，ｐｕ１，ｐｗ１，ｐｘ１を形成している。しかも、複数の前記収納孔ｐｂ１，ｐｅ１，ｐｈ１，ｐｋ１，ｐｎ１，ｐｑ１，ｐｔ１，ｐｗ１を連通する溝４Ａと、複数の前記収納孔ｐｃ１，ｐｆ１，ｐｉ１，ｐｌ１，ｐｏ１，ｐｒ１，ｐｕ１，ｐｘ１とのそれぞれを連通する溝４Ａが内筒４の外周面４Ｃに形成されている。
【００５３】
前記収納孔ｐｃ１，ｐｆ１，ｐｉ１，ｐｌ１，ｐｏ１，ｐｒ１，ｐｕ１，ｐｘ１は、図４，図６，図７に示すように、長円状を呈している。そして、この長円状の収納孔ｐｃ１，ｐｆ１，ｐｉ１，ｐｌ１，ｐｏ１，ｐｒ１，ｐｕ１，ｐｘ１の径は、球状の補助ピン７が、この収納孔ｐｃ１，ｐｆ１，ｐｉ１，ｐｌ１，ｐｏ１，ｐｒ１，ｐｕ１，ｐｘ１に安定した状態で収納可能なように、若干大径とした略同径とし、長さ方向の幅βは、外筒２の上ピン孔Ａ１〜Ｘ１よりも大径の幅としてある。このように、長円状の収納孔ｐｃ１，ｐｆ１，ｐｉ１，ｐｌ１，ｐｏ１，ｐｒ１，ｐｕ１，ｐｘ１の長さ方向の幅βを上ピン孔Ａ１〜Ｘ１よりも大径の幅とする理由については後述する。
【００５４】
さらに、図４及び図８を参照して、前記一対の両溝４Ａ，４Ａには、長尺のセット・リセット部材９が摺動自在に嵌装して配置してある。そのセット・リセット部材９の端面に山部ｐｂ３，ｐｃ３，ｐｅ３，ｐｆ３，ｐｈ３，ｐｉ３，ｐｋ３，ｐｌ３，ｐｎ３，ｐｏ３，ｐｑ３，ｐｒ３，ｐｔ３，ｐｕ３，ｐｗ３，ｐｘ３と谷部ｐｂ２，ｐｃ２，ｐｅ２，ｐｆ２，ｐｈ２，ｐｉ２，ｐｋ２，ｐｌ２，ｐｎ２，ｐｏ２，ｐｑ２，ｐｒ２，ｐｔ２，ｐｕ２，ｐｗ２，ｐｘ２とが交互に連なって形成され、且つ、当該谷部ｐｂ２，ｐｃ２，ｐｅ２，ｐｆ２，ｐｈ２，ｐｉ２，ｐｋ２，ｐｌ２，ｐｎ２，ｐｏ２，ｐｑ２，ｐｒ２，ｐｔ２，ｐｕ２，ｐｗ２，ｐｘ２の後方側と山部ｐｂ３，ｐｃ３，ｐｅ３，ｐｆ３，ｐｈ３，ｐｉ３，ｐｋ３，ｐｌ３，ｐｎ３，ｐｏ３，ｐｑ３，ｐｒ３，ｐｔ３，ｐｕ３，ｐｗ３，ｐｘ３との間に、それぞれテーパ部９Ａ，・・・，９Ａを設ける一方、谷部ｐｂ２，ｐｃ２，ｐｅ２，ｐｆ２，ｐｈ２，ｐｉ２，ｐｋ２，ｐｌ２，ｐｎ２，ｐｏ２，ｐｑ２，ｐｒ２，ｐｔ２，ｐｕ２，ｐｗ２，ｐｘ２の前方側と山部ｐｂ３，ｐｃ３，ｐｅ３，ｐｆ３，ｐｈ３，ｐｉ３，ｐｋ３，ｐｌ３，ｐｎ３，ｐｏ３，ｐｑ３，ｐｒ３，ｐｔ３，ｐｕ３，ｐｗ３，ｐｘ３との間に段部９Ｂ，・・・，９Ｂを形成してある。
【００５５】
このセット・リセット部材９は、その先端と溝４Ａの前方側との間には、付勢部材であるバネ１０を介在している。そして、常時には後方側（挿入するキーの先端方向を前方とし、その反対側を後方側とする。）に付勢され、その後端が内筒４の鍔部４Ｄに当接して、それ以上の移動が阻止されている。このリセット状態時において、内筒４の鍵穴３に本発明のシリンダー錠１に適合したキーＣＫを挿入した状態が図９であり、図９のＦ−Ｅ線断面を図１０に示す。次にキーＣＫにより、内筒４をα１（約３５°）回動すると、図１１の如く、上ピン孔Ｂ１，Ｃ１，Ｅ１，Ｆ１，Ｈ１，Ｉ１，Ｋ１，Ｌ１，Ｎ１，Ｏ１，Ｑ１，Ｒ１，Ｔ１，Ｕ１，Ｗ１，Ｘ１と、内筒４の溝４Ａ、４Ａの収納孔ｐｂ１，ｐｃ１，ｐｅ１，ｐｆ１，ｐｈ１，ｐｉ１，ｐｋ１，ｐｌ１，ｐｎ１，ｐｏ１，ｐｑ１，ｐｒ１，ｐｔ１，ｐｕ１，ｐｗ１，ｐｘ１とが対向する位置となり、上ピン孔Ｂ１，Ｃ１，Ｅ１，Ｆ１，Ｈ１，Ｉ１，Ｋ１，Ｌ１，Ｎ１，Ｏ１，Ｑ１，Ｒ１，Ｔ１，Ｕ１，Ｗ１，Ｘ１に収納されている補助ピン７がバネ５の付勢力によって収納孔ｐｂ１，ｐｃ１，ｐｅ１，ｐｆ１，ｐｈ１，ｐｉ１，ｐｋ１，ｐｌ１，ｐｎ１，ｐｏ１，ｐｑ１，ｐｒ１，ｐｔ１，ｐｕ１，ｐｗ１，ｐｘ１に押しやられて収納されようとする。しかし、内筒４の溝４Ａ，４Ａに配置されているセット・リセット部材９，９の山部ｐｂ３，ｐｃ３，ｐｅ３，ｐｆ３，ｐｈ３，ｐｉ３，ｐｋ３，ｐｌ３，ｐｎ３，ｐｏ３，ｐｑ３，ｐｒ３，ｐｔ３，ｐｕ３，ｐｗ３，ｐｘ３が補助ピン７の移動を阻止する状態に位置しているので、補助ピンは上ピン孔に収納された状態で保持される。
【００５６】
また、内筒４の鍔部４Ｄには、前記溝４Ａ，４Ａの他に、外部と連通した制御部材挿入孔４Ｅ，４Ｅが形成されており、前記セット・リセット部材９，９の後端を前方側に設けたバネ１０，１０の付勢力に抗して外部から押込み可能なように設けられている。すなわち、この制御部材挿入孔４Ｅ，４Ｅには、後述する第１の治具としてのセット用制御部材２０，第２の治具としてのリセット用制御部材３０の押出ピン２２，３２が挿入されて、後述するようにキーの回動操作とセット・リセット部材９，９の押動とによって、シリンダー錠１にチェンジキーとしてのキーＣＫを合鍵としてセットしたり、あるキーＣＫを合鍵としてセットした状態から、新たな他のキーＣＫを合鍵にセット可能なリセット状態とすることができる。
【００５７】
（リセット状態からキーを差し込む）
以上、本発明におけるリセット状態のシリンダー錠１における構成について説明したが、このリセット状態のシリンダー錠１から、合鍵である特定のキーＣＫで解錠可能なセット状態に至るまでの動作を、図９〜図１４に基づいて説明する。
【００５８】
図９はリセット状態のシリンダー錠１に対して、合鍵であるキーＣＫを差し込んだ状態を示す図２，図３のＤ２−Ｄ２、Ｅ−Ｆ線断面図である。より詳しくは、図２，図３のリセット状態で合鍵であるキーＣＫを鍵穴３に挿入すると、該キーＣＫの上端面に下ピンＡ４〜Ｘ４の先端部が接し、前記下ピンＡ４〜Ｘ４が上動し、該下ピンＡ４〜Ｘ４と上ピンＡ３〜Ｘ３との境界面、又は、上ピンＡ３〜Ｘ３あるいは下ピンＡ４〜Ｘ４と補助ピン７との境界面の何れかが、外筒２に対して内筒４が回動可能となるシャーラインＳＬに一致する。このように下ピンＡ４〜Ｘ４が上動するストロークは、キーＣＫの上端面や両側面に形成された鍵山としての複数のディンプルの凹凸量によって規制されている。図９に示す、図２、図３のＤ２−Ｄ２、Ｅ−Ｆ線断面図においては、上ピンＤ３と下ピンＤ４との境界面と、補助ピン７と下ピンＥ４との境界面、上ピンＦ３と補助ピン７との堺界面がシャーラインＳＬに一致する。
【００５９】
図１０は、リセット状態のシリンダー錠の鍵穴にキー（チェンジキーＣＫ）を差し込んだ状態を示す図１のＺ２−Ｚ２線断面図である。そして、図１１は図９および図１０のようにリセット状態の鍵穴にキーＣＫを差し込み、キーＣＫを回動して内筒４を時計方向に角度α１（約３５度）回転させた場合の図１のＺ２−Ｚ２線方向の断面図である。
【００６０】
本実施例のシリンダー錠１には、鍵穴３にキーを差し込んだ際に、下ピンＡ４〜Ｘ４と上ピンＡ３〜Ｘ３との堺界面、又は、上ピンＡ３〜Ｘ３あるいは下ピンＡ４〜Ｘ４と補助ピン７との堺界面の何れかが、外筒２に対して内筒４が回動可能となるシャーラインＳＬに一致するようなディンプルなどからなる鍵山を形成した複数種類のキー（チェンジキー）ＣＫが予め用意されている。この一つのチェンジキーＣＫを合鍵としてセットするために、鍵穴３に差し込むと、例えば、図１０に示す如くコラムＥ，Ｎ，Ｏ，Ｑ，Ｕの５箇所の補助ピン７が外筒２の上ピン孔Ｅ１，Ｎ１，Ｏ１，Ｑ１，Ｕ１に一旦収納される。
【００６１】
そして、この状態から図９に示すα１（約３５度）時計方向に内筒４を外筒２に対して回動すると、図１１に示すように、補助ピン７，・・，７を収納した上ピン孔Ｅ１，Ｎ１，Ｏ１，Ｑ１，Ｕ１と、長円状の収納孔ｐｅ１，ｐｎ１，ｐｏ１，ｐｑ１，ｐｕ１と対向となるが、セット・リセット部材９の山部ｐｅ３，ｐｎ３，ｐｏ３，ｐｑ３，ｐｕ３が補助ピン７，・・・，７に当接（図１１の部位ア）し、バネ５・・・５で付勢されている補助ピン７，・・・，７が内筒４の収納孔ｐｅ１，ｐｎ１，ｐｏ１，ｐｑ１，ｐｕ１に収納されるのを阻止する。
【００６２】
セット・リセット部材９，９の山部ｐｅ３，ｐｎ３，ｐｏ３，ｐｑ３，ｐｕ３の部位アでの当接が解除されると、上記補助ピン７・・・７はバネ５，・・，５の付勢力によって押動されて収納孔ｐｅ１，ｐｎ１，ｐｏ１，ｐｑ１，ｐｕ１に自動的に収納されることになる。
【００６３】
また、内筒４の収納孔ｐｂ１，ｐｃ１，ｐｅ１，ｐｆ１，ｐｈ１，ｐｉ１，ｐｋ１，ｐＩ１，ｐｎ１，ｐｏ１、ｐｑ１，ｐｒ１，ｐｔ１，ｐｕ１，ｐｗ１，ｐｘ１の開口は、その一部が上ピン孔Ｂ１，Ｃ１，Ｅ１，Ｆ１，Ｈ１，Ｉ１，Ｋ１，Ｌ１，Ｎ１，Ｏ１，Ｑ１，Ｒ１，Ｔ１，Ｕ１，Ｗ１，Ｘ１と対向しつつ、外筒の上ピン孔間に形成される隔壁ＢＥ，ＣＦ，ＥＨ，ＦＩ，ＨＫ，ＩＬ，ＫＮ，ＬＯ，ＮＱ，ＯＲ，ＱＴ，ＲＵ，ＴＷ，ＵＸにまでわたって、その開口が対向するように長さ方向の幅βを設定している。
【００６４】
図１２は、内筒４に一対形成したセット・リセットピン挿入孔４Ｅ，４Ｅに挿入する押出ピン２２，２２を備えた第１の治具としてのセット用制御部材２０を示すものであって、（Ａ）は正面から見た断面図、（Ｂ）は平面図、（Ｃ）は左側面図、（Ｄ）は右側面図である。このセット用制御部材２０は、合鍵であるキーＣＫの把持部を嵌挿するスリット２１と、該スリット２１にキーＣＫの把持部を嵌挿した状態で、前記鍵穴３にキーＣＫを挿入すると、前記セット・リセットピン挿入孔４Ｅ，４Ｅに挿入可能な位置となる部位に設けられた一対の押出ピン２２，２２（第１のピン）とを備えている。そして、この押出ピン２２は、根元側をセット・リセットピ挿入ン孔４Ｅよりも大径とした部位とし、先端側をセット・リセットピン挿入孔に挿入できる径とした部位としてなり、その界面には段部２２Ａが形成されている。なお、キーＣＫをシリンダー錠に挿入した後、キーＣＫの把持部を嵌挿するようにして、セット用制御部材２０の押出ピン２２，２２をセット・リセットピン挿入孔４Ｅ，４Ｅに挿入してもよい。
【００６５】
そして、このセット用制御部材２０は、セット操作を行うためのキーＣＫの把持部をそのスリット２１に嵌挿し、第１の長さγ１を有する押出ピン２２，２２が内筒４のセット・リセットピン挿入孔４Ｅ，４Ｅに挿入され、前記段部に至るまでの第１の長さγ１を押し込みきると、図１３に示すように、前記セット・リセット部材９,９がストロークＳＴ１だけ前方に押しやられ、上ピン孔に収納されていた補助ピン７・・・７はセット・リセット部材９，９の山部ｐｅ３，ｐｎ３，ｐｏ３，ｐｑ３，ｐｕ３と補助ピン７，・・・，７との当接（図１１の符号ア参照）が解除され、収納孔ｐｅ１，ｐｎ１，ｐｏ（オー）１，ｐｑ１，ｐｕ１にバネ５・・・５の付勢力により押動されて収納されることになる。
【００６６】
このように補助ピン７，・・・，７とセット・リセット部材９の山部ｐｅ３，ｐｎ３，ｐｏ３，ｐｑ３，ｐｕ３とが当接している状態から、第１の長さγ１のセット用制御部材２０の押出ピン２２をストロークＳＴ１だけ押し込んで、補助ピン７，・・・，７を収納孔ｐｅ１，ｐｎ１，ｐｏ１，ｐｑ１，ｐｕ１に収納した状態を示すのが図１４で、キーＣＫにセットされたセット状態を示す。
【００６７】
このセット状態では、収納孔ｐｅ１，ｐｎ１，ｐｏ１，ｐｑ１，ｐｕ１に収納された補助ピン７，・・・，７は、セット・リセット部材９がバネ１０の付勢力によって溝４Ａを後方側に摺動するのに伴って、セット・リセット部材９の段部９Ｂが補助ピン７，・・・，７を押動して、図７に示した長さβの長円状の収納孔ｐｅ１，ｐｎ１，ｐｏ１，ｐｑ１，ｐｕ１内の長さ方向で移動させる。この結果、補助ピン７・・・７は収納孔ｐｅ１，ｐｎ１，ｐｏ１，ｐｑ１，ｐｕ１内の右側壁とセット・リセット部材９，９の９Ｂとの間に挟持された状態で保持される。なお、この状態でキーＣＫを再び時計方向にα１回動しても、補助ピン７，・・・，７の位置は外筒２の隔壁ＢＥ，ＫＮ，ＬＯ，ＮＱ，ＲＵと対峙する位置となり、この隔壁ＢＥ，ＫＮ，ＬＯ，ＮＱ，ＲＵにより、補助ピン７・・・７が外筒の上ピン孔内への移動（収納）が阻止される（図１７参照）。従って、キーＣＫにセットされた後はキーＣＫによる安定した施解錠が保障される。
このセット状態においては、上ピンＡ３〜Ｘ３と下ピンＡ４〜Ｘ４との間から５個の補助ピン７，・・・，７を除去しているから、この補助ピン７に対応する鍵山を有するチェンジキーのみが施解錠可能で他のチェンジキーでは施解錠することができない。
【００６８】
（セットされた状態でのマスターキーＭＫでの操作）
ところで、図１８（Ａ）に示すように、キーＣＫにセットされた状態で、マスターキーＭＫを、鍵穴３に挿入した際に、上ピンＡ３〜Ｘ３と下ピンＡ４〜Ｘ４に介在する全ての補助ピン７，・・・，７（この場合５個）を上ピン孔Ａ１〜Ｘ１側に押動し、補助ピン７，・・・，７と下ピンＡ４〜Ｘ４の界面（境界）が、 内筒４と外筒２とのシャーラインＳＬと一致するようにマスターキーＭＫの鍵山を設定しているから、ある特定のキーＣＫにセットされた状態であっても、マスターキーＭＫでの施解錠操作は可能となっている。
なお、図１８（Ｂ）は、図１８（Ａ）の状態からマスターキーＭＫをα１（約３５度）回動した状態を示している。
【００６９】
（セット状態のシリンダーを元のリセット状態にする操作）
図１５〜図１９に基づいて、ある特定のキーＣＫを合鍵としてセットして、合鍵であるキーＣＫにより、元のリセット状態に戻すまでの動作を説明する。図１５は、第２の治具としてのリセット用制御部材３０を示し、（Ａ）は正面から見た断面図、（Ｂ）は平面図、（Ｃ）は左側面図、（Ｄ）は右側面図である。図１６は、セット状態のシリンダー錠の鍵穴に合鍵であるキー（チェンジキー）ＣＫを差し込んだ状態を示す図１のＺ２−Ｚ２線断面図である。図１７は、図１６の状態からキー（チェンジキー）ＣＫを時計方向にα１（約３５度）回転させた場合の図１のＺ２−Ｚ２線断面図である。図１９は、図１７の状態からリセット用制御部材３０の押出ピン３２，３２の押動によってセット・リセット部材９，９を移動させて、内筒の収納孔に収納されていた補助ピン７，・・・，７を外筒２の上ピン孔に戻す状態を示す図１のＺ２−Ｚ２線断面図である。
【００７０】
図１５に示すリセット用制御部材３０は、内筒４のセット・リセットピン挿入孔４Ｅ，４Ｅに挿入するための押出ピン３２，３２を一体的に備えている。このリセット用制御部材３０は、合鍵であるキーＣＫの把持部を嵌挿するスリット３１と、該スリット３１にキーＣＫの把持部を嵌挿した状態で、前記鍵穴３にキーＣＫを挿入すると、前記セット・リセットピン挿入孔４Ｅ，４Ｅに挿入可能な位置となる部位に設けられた一対の押出ピン３２，３２（第２ピン）とを備えている。
【００７１】
そして、このリセット用制御部材３０を、リセット操作を行うためのキーＣＫの把持部をそのスリット３１に嵌挿し、第２の長さγ２を有する押出ピン３２，３２をセット・リセットピン挿入孔４Ｅ，４Ｅに挿入して、セット・リセット部材９，９を押動すると、図１７の状態では 内筒４の収納孔ＰＥ，ＰＮ，ＰＯ，ＰＮ，ＰＱ，ＰＵに収納されていた補助ピン７，・・・，７は、図１８に示すようにリセット用制御部材３０、３０の第二ピン３２，３２によりストロークＳＴ２押動されて前方側に移動されて前方側に移動したセット・リセット部材９，９の斜面部９Ａ、９Ａの作用により対峙する外筒２のピン孔Ｅ１，Ｎ１，Ｑ１，Ｏ１，Ｕ１ 内筒に押しやって収納させる。
【００７２】
なお、リセット用制御部材３０の押出ピン（第２のピン）３２，３２の長さγ２は、前記セット用制御部材２０の第１のピン２２，２２の長さγ１より長くしてあり、リセット用制御部材３０によるは３２，３２がセット・リセット部材９の押動ストロークＳＴ２は、セット時の押動ストロークＳＴ１（図１３参照）よりも長いストロークＳＴ２に設定してある。
【００７３】
この状態（図１９）のまま、チェンジキーＣＫおよびリセット用制御部材３０を反時計方向α１回動して内筒４を元に戻して、リセット用制御部材３０を抜き取ると、図１０に示すリセット状態でキーＣＫを差し込んだ状態となり、キーＣＫを抜き取れば図３に示す元のリセット状態となる。
図３に示すリセット状態において、最初にセットしたキーＣＫとは異なるキーＣＫ１にセットするには前記と同様にキーＣＫ１とセット用制御部材２０とを使用してキーＣＫ１にセットする。更に新しいキーＣＫ２・・・ＣＫｎにセットするには前記と同様にキーＣＫ２・・・ＣＫｎとリセット用制御部材３０とを使用して一度リセット状態としてから、次に新しいキーＣＫ２・・・ＣＫｎとセット用制御部材２０とを使用してセットすれば良い。なお、当然のことながら、元の旧いキーＣＫにセットすることも可能である。このことは、居住人が頻繁に変わる賃貸住宅や衆合住宅において錠を取り替えることなく、管理人がセット・リセット操作をすることによりキーチェンジが簡単に行えるので、居住人が頻繁に替わる賃貸住宅や集合住宅の管理に極めて有効である。
また、リセット用制御部材３０は、図示しないが、請求項４に記載のように、リセット操作を行うためのキー（実際にはどのようなキーＣＫにセットされた状態でも施解錠が可能なマスターキーＭＫ）に固定することにより、このキー付きのリセット用制御部材３０の１個で、セット状態の全てのシリンダー錠をリセット状態にすることができる。
【００７４】
（マスターキーＭＫによる動作説明）
以上のように、本発明に関わるシリンダー錠１に予め用意された交換可能な、ある特定のチェンジキーである一つのキーＣＫを、セット用制御部材２０により合鍵としてセットし、そして、リセット用制御部材３０により元のリセット状態に戻す動作説明を行ったが、この発明のシリンダー錠１では、複数の異なるチェンジキーＣＫによりセットされた複数のシリンダー錠１を一つのマスターキーで施解錠可能としており、このようなマスターキーＭＫで、ある特定のーつのキーＣＫにセットされたシンダー錠１を解錠する場合の動作を図３，図１０，図１６，図１７，図１８（Ａ），（Ｂ）に基づいて説明する。
【００７５】
マスターキーＭＫの鍵山は、当該マスターキーＭＫをシリンダー錠１の鍵穴３に挿入すると、図３に示すリセット状態時には、上ピンＥ３，Ｋ３，Ｎ３，Ｑ３，Ｗ３，Ｆ３，Ｉ３，Ｌ３，Ｏ３，Ｕ３と下ピンＢ３，Ｅ４，Ｎ４，Ｑ４，Ｗ４，Ｆ４，Ｉ４，Ｌ４，Ｏ４，Ｕ４との間に介在する補助ピン７，・・・，７を、全て上ピン孔Ｂ１，Ｅ１，Ｎ１，Ｑ１，Ｗ１，Ｆ１，Ｉ１，Ｌ１，Ｏ１，Ｕ１側に押し上げるように設定されている。
【００７６】
図１０では、セットするキーＣＫを鍵穴３に挿入した状態を示しているが、この特定のキーＣＫに設定された鍵山では、上ピンＥ３，Ｋ３，Ｎ３，Ｑ３，Ｗ３，Ｆ３，Ｉ３，Ｌ３，Ｏ３，Ｕ３と下ピンＥ４，Ｋ４，Ｎ４，Ｑ４，Ｗ４，Ｆ４，Ｉ４，Ｌ４，Ｏ４，Ｕ４との間に介在する補助ピン７，・・・，７のうちの一部のもの、この図の場合では、上ピンＥ３，Ｎ３，Ｑ３，Ｏ３，Ｕ３と下ピンＥ４，Ｎ４，Ｑ４，Ｏ４，Ｕ４の間の５つの補助ピン７，・・・，７を上ピン孔Ｅ１，Ｎ１，Ｑ１，Ｏ１，Ｕ１側に押動して、下ピンＥ４，Ｎ４，Ｑ４，Ｏ４，Ｕ４と補助ピン７，・・・，７との境界がシャーラインＳＬと一致して回動可能となるようにしている。これと同様に、他のキーＣＫは、上ピン孔側に押しやる補助ピン７，・・・，７の位置が変更される。
このように、補助ピン７の位置が異なることによって、異なるキーＣＫではシリンダー錠を操作することができないのである。
【００７７】
一方、マスターキーＭＫの鍵山は、上ピンＥ３，Ｋ３，Ｎ３，Ｑ３，Ｗ３，Ｆ３，Ｉ３，Ｌ３，Ｏ３，Ｕ３と下ピンＥ４，Ｋ４，Ｎ４，Ｑ４，Ｗ４，Ｆ４，Ｉ４，Ｌ４，Ｏ４，Ｕ４との間に介在する補助ピン７，・・・，７を、全て上ピン孔Ｅ１，Ｋ１，Ｎ１，Ｑ１，Ｗ１，Ｆ１，Ｉ１，Ｌ１，Ｏ１，Ｕ１側に押し上げるように設定されているから、どのようなキーＣＫにセットされ、上ピンと下ピンとの間に補助ピン７が残っている位置が異なっていても、セットされたシリンダー錠１の鍵穴３にマスターキーＭＫを挿入すると、上ピンと下ピンとの間に残る補助ピンと下ピンとの堺界面がシャーラインＳＬ上に位置し、全てのシリンダー錠１が一つのマスターキーＭＫにより施解錠することができるのである。
【００７８】
ある特定のキーＣＫでセットされた図１６（Ａ）に示すシリンダー錠１では、上ピンＫ３，Ｗ３，Ｆ３，Ｉ３，Ｌ３と下ピンＫ４，Ｗ４，Ｆ４，Ｉ４，Ｌ４との間に補助ピン７，・・・，７が残っているが、このシリンダー錠１にマスターキーを挿入すると図１８（Ａ）に示すように補助ピン７，・・・，７の全ては上ピン孔Ｋ１，Ｗ１，Ｆ１，Ｉ１，Ｌ１側に移動する。そして、この移動させた状態のままα１だけ時計方向にマスターキーＭＫを内筒４とともに回動させた状態を示すのが図１８（Ｂ）である。
【００７９】
このように、マスターキーＭＫによれば、複数の異なるキーＣＫでセットされた複数のシリンダー錠１，・・・，１群を一つのマスターキーＭＫで施解錠することができるといった利点とともに、例えば、このようなシリンダー錠１の使用形態としてマンションなどの集合住宅に利用した場合、賃貸者などが変更される度に他の新しいキーＣＫに変更することができ、旧のキーＣＫは使用できなくすることができる。そして、仮に、賃貸者がキーＣＫを紛失した場合であっても、図１９に示すようにマスターキーＭＫで施解錠できる。しかも、同図の状態でリセット用制御部材３０によってリセット操作を行うことによって、全ての補助ピン７，・・・，７を上ピン孔側に戻してリセット状態とすることも可能である。
【００８０】
また、図１０の状態からセット用制御部材２０を用いて、全ての補助ピン７，・・・，７を収納ポケット側に収納することによって、他の何れのキーＣＫでも施解錠することが不能となり、マスターキーＭＫのみでの施解錠可能なシャットアウト状態とすることも可能となる。
【００８１】
図１０では、セットするキーＣＫを鍵穴３に挿入した状態を示しているが、この特定のキーＣＫに設定された鍵山では、上ピンＥ３，Ｋ３，Ｎ３，Ｑ３，Ｗ３，Ｆ３，Ｉ３，Ｌ３，Ｏ３，Ｕ３と下ピンＥ４，Ｋ４，Ｎ４，Ｑ４，Ｗ４，Ｆ４，Ｉ４，Ｌ４，Ｏ４，Ｕ４との間に介在する補助ピン７，・・・，７のうちの一部のもの、この図の場合では、上ピンＥ３，Ｎ３，Ｑ３，Ｏ３，Ｕ３と下ピンＥ４，Ｎ４，Ｑ４，Ｏ４，Ｕ４の間の５つの補助ピン７，・・・，７を上ピン孔Ｅ１，Ｎ１，Ｑ１，Ｏ１，Ｕ１側に押動して、下ピンＥ４，Ｎ４，Ｑ４，Ｏ４，Ｕ４と補助ピン７，・・・，７との境界がシャーラインＳＬと一致して回動可能となるようにしている。これと同様に、他のキーＣＫは、上ピン孔側に押しやる補助ピン７，・・・，７の位置が変更される。
このように、補助ピン７の位置が異なることによって、異なるキーＣＫではシリンダー錠を操作することができないのである。
【００８２】
一方、マスターキーＭＫの鍵山は、上ピンＥ３，Ｋ３，Ｎ３，Ｑ３，Ｗ３，Ｆ３，Ｉ３，Ｌ３，Ｏ３，Ｕ３と下ピンＥ４，Ｋ４，Ｎ４，Ｑ４，Ｗ４，Ｆ４，Ｉ４，Ｌ４，Ｏ４，Ｕ４との間に介在する補助ピン７，・・・，７を、全て上ピン孔Ｅ１，Ｋ１，Ｎ１，Ｑ１，Ｗ１，Ｆ１，Ｉ１，Ｌ１，Ｏ１，Ｕ１側に押し上げるように設定されているから、どのようなキーＣＫにセットされ、上ピンと下ピンとの間に補助ピン７が残っている位置が異なっていても、セットされたシリンダー錠１の鍵穴３にマスターキーＭＫを挿入すると、上ピンと下ピンとの間に残る補助ピンと下ピンとの堺界面がシャーラインＳＬ上に位置し、全てのシリンダー錠１が一つのマスターキーＭＫにより施解錠することができるのである。
【００８３】
ある特定のキーＣＫでセットされた図１６に示すシリンダー錠１では、上ピンＫ３，Ｗ３，Ｆ３，Ｉ３，Ｌ３と下ピンＫ４，Ｗ４，Ｆ４，Ｉ４，Ｌ４との間に補助ピン７，・・・，７が残っているが、このシリンダー錠１にマスターキーを挿入して回動すると残っている補助ピン７，・・・，７の全てが上ピン孔Ｋ１，Ｗ１，Ｆ１，Ｉ１，Ｌ１側に移動する。そして、この移動させた状態のままα１だけ時計方向にマスターキーＭＫを内筒４とともに回動させた状態を示すのが図１９である。
【００８４】
このように、マスターキーＭＫによれば、複数の異なるキーＣＫでセットされた複数のシリンダー錠１，・・・，１群を一つのマスターキーＭＫで施解錠することができるといった利点とともに、例えば、このようなシリンダー錠１の使用形態としてマンションなどの集合住宅に利用した場合、賃貸者などが変更される度に他の新しいキーＣＫに変更することができ、旧のキーＣＫは使用できなくすることができる。そして、仮に、賃貸者がキーＣＫを紛失した場合であっても、図１９に示すようにマスターキーＭＫで施解錠できる。しかも、同図の状態でリセット用制御部材３０によってリセット操作を行うことによって、全ての補助ピン７，・・・，７を上ピン孔側に戻してリセット状態とすることも可能である。
【００８５】
また、図３の状態でマスターキーＭＫを差し込むと、全ての補助ピン７，・・・，７は外筒２の上ピン孔 内筒に移動し、次にマスターキーにＭＫを時計方向にα１回動し、セット用制御部材２０を用いて、セット・リセット部材９，９を押動し、そのまま反時計方向にα１戻してセット用制御部材２０を抜き取ると、全ての補助ピン７，・・・，７は収納ポケット側に収納された状態となることによって、他の何れのキーＣＫでも施解錠することが不能となり、マスターキーＭＫのみでの施解錠可能なシャットアウト状態とすることも可能となる。
【００８６】
なお、工事用キーとは、リセット状態のシリンダー錠のみを施解錠可能なキーで、補助ピンが無いコラムの鍵山はキーＣＫと同じ高さの鍵山であり、補助ピンがあるコラムの鍵山は、補助ピンが内筒の下ピン孔内に収納され、補助ピンと上ピンとの界面が内筒と外筒とのシャーラインＳＬに一致するような深さに設けられている。
従って、リセット状態のシリンダー錠を操作できるが、補助ピンは全て 内筒側にあるので、チェンジキーＣＫやマスターキーＭＫの場合と異なり、セット用制御部材２０を使用しても工事用キー用にセットすることはできないし、又、一旦キーＣＫにセットされたシリンダー錠は施解錠することができない。
【００８７】
（実施例２）  本発明の実施例２のシリンダー錠を図２０〜図３０に基づいて以下に説明する。この実施例２は、 内筒４の長円状の収納孔ｐｂ１〜ｐｘ１の構成が、実施例１のものと異なり、その他の外筒や上ピンＡ３〜Ｘ３や下ピンＡ４〜Ｘ４等の構成は、実施例１と同様のものである。
【００８８】
図２０〜図２２は、 内筒４を示し、図２０は図６（Ｃ）に、図２１は図６（Ａ）に相当する断面図、側面図である。図２２は 図２０のＸ−Ｙ線断面図を示している。図２３は図２１のイ、ロ部の拡大図で、図２４は蓋６０付近の断面図である。そして、この実施例２の場合も、実施例１と同様に、 内筒４の外周面４Ｃの長手方向には、補助ピン７を収納するための複数の長円状の収納孔ｐｂ１，ｐｃ１，ｐｅ１，ｐｆ１，ｐｈ１，ｐｉ１，ｐｋ１，ｐｌ１，ｐｎ１，ｐｏ１，ｐｑ１，ｐｒ１，ｐｔ１，ｐｕ１，ｐｗ１，ｐｘ１を形成している。しかも、複数の前記収納孔ｐｂ１，ｐｅ１，ｐｈ１，ｐｋ１，ｐｎ１，ｐｑ１，ｐｔ１，ｐｗ１を連通する溝４Ａと、複数の前記収納孔ｐｃ１，ｐｆ１，ｐｉ１，ｐｌ１，ｐｏ１，ｐｒ１，ｐｕ１，ｐｘ１とのそれぞれを連通する溝４Ａが内筒４の外周面４Ｃに形成されている。
【００８９】
前記収納孔ｐｂ１〜ｐｘ１は、いずれも図２４に示されているように、長円状の蓋６０付きの長孔としてある。そして、各収納孔ｐｂ１〜ｐｘ１は、第１実施例と同様にいずれも、図２３に示されているように、長さ方向の幅を上ピン孔Ａ１〜Ｘ１よりも大径の幅βとしてあるとともに、その各収納孔ｐｂ１〜ｐｘ１の前半部イの径 は球状の補助ピン７が各収納孔Ｐｂ１〜Ｐｘ１に安定した状態で収納可能なように、若干大径としてある。一方、収納孔ｐｂ１〜ｐｘ１の後半部ロには、蓋（補助ピン７の出入りを阻止する出入阻止部）６０を形成してあり、ある設定角度以上 内筒４を回動して、外筒２の上ピン孔Ａ１〜Ｘ１にある補助ピン７が、内筒４の収納孔ｐｂ１〜ｐｘ１に対峙する位置になった時、前記補助ピン７は収納孔の蓋（補助ピンの出入りを阻止する出入阻止部）６０に当接して、該収納孔ｐｂ１〜ｐｘ１に収納されないように構成してある。
【００９０】
なお、図２４は、図２０で上段に設けた収納孔ｐｂ１，ｐｅ１，ｐｈ１，ｐｋ１，ｐｎ１，ｐｑ１，ｐｔ１，ｐｗ１の後半部ロに設けた蓋（出入阻止部）６０付近の断面図である。
【００９１】
また、図２０の上下両部に設けた 内筒４の溝４Ａ、４Ａ内には、図８と同様の長尺のセット・リセット部材９，９が摺動自在に嵌装してある。このセット・リセット部材９，９の構造は実施例１のものと同様であるので詳細を省略する。
【００９２】
図２５は、セット状態のシリンダー錠の鍵穴３に合鍵であるキー（チェンジキー）ＣＫを差し込んで、ある設定角度α（３５度）回転した状態の断面図である。図２６は図２５におけるＫ−Ｌ線断面図である。
【００９３】
図２７は、セット状態のシリンダー錠の鍵穴３にマスターキーＭＫを差し込んで、反時計方向に３５度回転した状態の断面図、図２８は図２７におけるＫ−Ｌ線断面図である。
図２９は、図２７の状態から反時計方向に１４５度回転した状態を示している。この場合、図２７の状態から 内筒４は１８０度回転したことになるので、セット・リセット部材９，９も図２７の状態より上下が位置変更されたことになる。そして、上記１４５度回転した時において、 内筒４の収納孔ｐｂ１〜ｐｘ１の後半部ロに形成した蓋（出入阻止部）６０、６０が、図２７で上ピン孔Ｋ１、Ｗ１ 内に移動している補助ピン７，７を収納孔ｐｋ１，ｐｗ１側に落下しないように当接している（図２９参照）。
【００９４】
従って、従来は、マスターキーで、例えば反時計方向へ１４５度（時計方向へ２１５度）回転した時、一対のセット・リセット部材９，９が１８０度反対側に来て外筒４に残っている補助ピン７が 内筒４の収納孔に落下する。そのため例えば１４５度以上、３６０度等の鍵による広角度回転式シリンダー錠には使用できないという問題があった。
【００９５】
本発明の実施例２のシリンダー錠によれば、内筒４の収納孔ｐｂ１〜ｐｘ１の一部に補助ピン７の出入り（外筒の上ピン孔から内筒の収納孔への移動および 内筒の収納孔から外筒の上ピン孔内への移動）を阻止する蓋（出入阻止部）６０を形成してあり、ある設定角度以上 内筒４を回動して、外筒２の上ピン孔Ａ１〜Ｘ１にある補助ピン７が、当該 内筒４の収納孔ｐｂ１〜ｐｘ１に対峙する位置になった時、前記補助ピン７は収納孔ｐｂ１〜ｐｘ１の蓋（出入阻止部）６０に当接して、該収納孔ｐｂ１〜ｐｘ１に収納されないように構成してあるから、キー（および 内筒４）の回動角度が例えば３６０度と大きい場合であっても、外筒の上ピン孔Ａ１〜Ｘ１にある補助ピン７が施解錠操作中に誤って 内筒４の収納孔ｐｂ１〜ｐｘ１に落ち込んでしまうという不都合が起きないようにして、キーおよび 内筒）の回動角度がいかなる場合に対しても上記問題を解消できる。
なお、例えば、図２９で言えば、上ピンＫ３，Ｗ３，Ｆ３，Ｉ３と、それらに対向する収納孔ＰＫ１，ＰＷ１，ＰＦ１，ＰＩ１の各蓋（出入阻止部）６０とで、各補助ピン７は挟持されている。また、上記以外の蓋（出入阻止部）６０より下方の収納孔内に収納されている補助ピン７（図２９では上ピン孔Ｎ３，Ｔ３，Ｃ３，Ｌ３，Ｏ３）は蓋（出入阻止部）６０で外筒の上ピン孔内への移動が阻止される。
【産業上の利用可能性】
【００９６】
この発明は、子鍵であるキー（チェンジキー）、複数のシリンダー錠を施解錠できるマスターキー、工事用キーを使用でき、キー（チェンジキー）は繰り返し何回でもキーチェンジできるシリンダー錠として適用することができる。
【図面の簡単な説明】
【００９７】
【図１】本発明の実施例１のシリンダー錠の正面図である。
【図２】図１のＺ１−Ｚ１線縦断面図である。
【図３】図１のＺ２−Ｚ２線断面図である。
【図４】図１のＺ３−Ｚ３線断面図である。
【図５】図２及び図３におけるＤ２−Ｄ２、Ｅ−Ｆ線断面図である。
【図６】内筒を示し、（Ａ）は内筒の側面図、（Ｂ）は内筒の正面図、（Ｃ）は（Ｂ）のＺ３−Ｚ３線断面図である。
【図７】図６の内筒の拡大図を示し、（Ａ）は内筒の一部断面図、（Ｂ）は内筒の長円状の収納孔の上面図である。
【図８】セット・リセット部材を示し、（Ａ）は谷部ｐｂ２，ｐｅ２，ｐｈ２，ｐｋ２，ｐｎ２，ｐｑ２，ｐｔ２，ｐｗ２を形成したセット・リセット部材の側面図、（Ｂ）は谷部ｐｃ２，ｐｆ２，ｐｉ２，ｐｌ２，ｐｏ２，ｐｒ２，ｐｕ２，ｐｘ２を形成したセット・リセット部材の側面図である。
【図９】図２，図３のリセット状態のシリンダー錠の鍵穴にキー（チェンジキー）を差し込んだ状態を示すＤ２−Ｄ２、Ｅ−Ｆ線断面図である。
【図１０】図１のリセット状態のシリンダー錠の鍵穴にキー（チェンジキー）を差し込んだ状態を示す図１のＺ２−Ｚ２線断面図である。
【図１１】リセット状態の鍵穴にキー（チェンジキー）を差し込んで時計方向に約３５度回転させた場合の図１のＺ２−Ｚ２線断面図である。
【図１２】第１の治具を示し、（Ａ）は正面から見た断面図、（Ｂ）は平面図、（Ｃ）は左側面図、（Ｄ）は右側面図である。
【図１３】図１１の状態からセット用制御部材によってセット・リセット部材を移動させて、補助ピンをセット・リセット部材の谷部と内筒の収納孔とで構成される収納ポケットに落とし込み収納した状態を示すＺ２−Ｚ２線断面図である。
【図１４】図１３の状態からセット用制御部材の操作を解除し、セット・リセット部材を付勢するバネによって操作前の状態に戻してから、キーを反時計方向にα１（約３５度）回転させた状態を示す図１のＺ３−Ｚ３線断面図である。
【図１５】第２の治具としてのリセット用制御部材を示し、（Ａ）は正面から見た断面図、（Ｂ）は平面図、（Ｃ）は左側面図、（Ｄ）は右側面図である。
【図１６】セット状態のシリンダー錠の鍵穴に合鍵であるキー（チェンジキー）を差し込んだ状態を示す図１のＺ２−Ｚ２線断面図である。
【図１７】図１６の状態からキー（チェンジキー）を時計方向にα１（約３５度）回転させた場合の図１のＺ２−Ｚ２線断面図である。
【図１８−Ａ】あるキー（チェンジキー）を合鍵としてセットしたセット状態のシリンダー錠の鍵穴に合鍵であるキー（チェンジキー）を差し込んだ状態を示す図１のＺ２−Ｚ２線断面図である
【図１８−Ｂ】あるキー（チェンジキー）を合鍵としてセットした状態のシリンダー錠の鍵穴にマスターキーを差し込んで時計方向にα１（約３５度）回転させた場合の図１のＺ２−Ｚ２線断面図である。
【図１９】図１７の状態からリセット用制御部材によってセット・リセット部材を移動させて、収納ポケットに収納されていた補助ピンを外筒の上ピン孔に戻す状態を示す図１のＺ２−Ｚ２線断面図である。
【図２０】本発明の実施例２のシリンダー錠の内筒の断面図である。
【図２１】本発明の実施例２のシリンダー錠の内筒の側面図である
【図２２】図２０のＸ−Ｙ線断面図である。
【図２３】図２１のイ、ロ部の拡大図である。
【図２４】収納孔の蓋付近の断面図である。
【図２５】セット状態のシリンダー錠の鍵穴にキーを差し込んで設定角度回転した状態の断面図である。
【図２６】図２４におけるＫ−Ｌ線断面図である。
【図２７】セット状態のシリンダー錠の鍵穴にマスターキーを差し込んで設定角度回転した状態の断面図である。
【図２８】図２７におけるＫ−Ｌ線断面図である。
【図２９】図２７の状態から 内筒を反時計方向に１４５度回転した断面図である。
【図３０】図２８におけるＫ−Ｌ線断面図である。
【図３１】特許文献３のシリンダー錠の正面図である。
【図３２】図３１のＺ１−Ｚ１線断面図である。
【図３３】図３１のＺ２−Ｚ２線断面図である。
【図３４】図３１のＺ３−Ｚ３線断面図である。
【図３５】図３２及び図３３におけるＤ２−Ｄ２、Ｅ−Ｆ線断面図である。
【図３６】内筒を示し、（Ａ）は内筒の側面図、（Ｂ）は内筒の正面図、（Ｃ）は（Ｂ）のＺ３−Ｚ３線断面図である。
【図３７】図３２，図３３のリセット状態のシリンダー錠の鍵穴にキー（チェンジキー）を差し込んだ状態を示すＤ２−Ｄ２、Ｅ−Ｆ線断面図である。
【図３８】リセット状態の鍵穴にキー（チェンジキー）を差し込んで時計方向にα（４５度）回転させた場合の図３１のＺ２−Ｚ２線断面図であり、（Ａ）は収納ポケットに補助ピンが落ち込む前の状態を示す要部切欠断面図、（Ｂ）は収納ポケットに補助ピンが落ち込んだ状態を示す要部切欠断面図、（Ｃ）は制御部材でリセット部材を押し込んで補助ピンを押し上げた状態の要部切欠断面図である。。
【符号の説明】
【００９８】
１                          シリンダー錠
２                          外筒
３                          鍵穴
４                          内筒
４Ａ                        溝
４Ｂ                        段部
４Ｃ                        外周面
４Ｅ                        セット・リセットピン挿入孔
５                          バネ
７                          補助ピン
９                          セット・リセット部材
９Ａ                        テーパ部
９Ｂ                        段部
２０                        セット用制御部材（第１の治具）
２２                        押出ピン（第１ピン）
２２Ａ                      段部
３０                        リセット用制御部材（第２の治具）
３２                        押出ピン（第２ピン）
Ａ１〜Ｘ１                  上ピン孔
ａ２〜ｘ２                  下ピン孔
Ａ３〜Ｘ３                  上ピン
Ａ４〜Ｘ４                  下ピン
ｐｂ１，ｐｃ１，ｐｅ１，ｐｆ１，ｐｈ１，ｐｉ１，ｐｋ１，ｐｌ１，ｐｎ１，ｐｏ１，ｐｑ１，ｐｒ１，ｐｔ１，ｐｕ１，ｐｗ１，ｐｘ１  長円状の収納孔
ｐｂ２，ｐｃ２，ｐｅ２，ｐｆ２，ｐｈ２，ｐｉ２，ｐｋ２，ｐｌ２，ｐｎ２，ｐｏ２，ｐｑ２，ｐｒ２，ｐｔ２，ｐｕ２，ｐｗ２，ｐｘ２  谷部
ｐｂ３，ｐｃ３，ｐｅ３，ｐｆ３，ｐｈ３，ｐｉ３，ｐｋ３，ｐｌ３，ｐｎ３，ｐｏ３，ｐｑ３，ｐｒ３，ｐｔ３，ｐｕ３，ｐｗ３，ｐｘ３    山部
ＢＥ，ＣＦ，ＥＨ，ＦＩ，ＨＫ，ＩＬ，ＫＮ，ＬＯ，ＮＱ，ＯＲ，ＱＴ，ＲＵ，ＴＷ，ＵＸ    隔壁
ＣＫ                        キー（チェンジキー）
ＭＫ                        マスターキー
ＳＬ                        シャーライン
【図１】
2008291638.tif 000003
【図２】
2008291638.tif 000004
【図３】
2008291638.tif 000005
【図４】
2008291638.tif 000006
【図５】
2008291638.tif 000007
【図６】
2008291638.tif 000008
【図７】
2008291638.tif 000009
【図８】
2008291638.tif 000010
【図９】
2008291638.tif 000011
【図１０】
2008291638.tif 000012
【図１１】
2008291638.tif 000013
【図１２】
2008291638.tif 000014
【図１３】
2008291638.tif 000015
【図１４】
2008291638.tif 000016
【図１５】
2008291638.tif 000017
【図１６】
2008291638.tif 000018
【図１７】
2008291638.tif 000019
【図１８−Ａ】
2008291638.tif 000020
【図１８−Ｂ】
2008291638.tif 000021
【図１９】
2008291638.tif 000022
【図２０】
2008291638.tif 000023
【図２１】
2008291638.tif 000024
【図２２】
2008291638.tif 000025
【図２３】
2008291638.tif 000026
【図２４】
2008291638.tif 000027
【図２５】
2008291638.tif 000028
【図２６】
2008291638.tif 000029
【図２７】
2008291638.tif 000030
【図２８】
2008291638.tif 000031
【図２９】
2008291638.tif 000032
【図３０】
2008291638.tif 000033
【図３１】
2008291638.tif 000034
【図３２】
2008291638.tif 000035
【図３３】
2008291638.tif 000036
【図３４】
2008291638.tif 000037
【図３５】
2008291638.tif 000038
【図３６】
2008291638.tif 000039
【図３７】
2008291638.tif 000040
【図３８】
2008291638.tif 000041